(57)【要約】【課題】本発明の目的は、着脱等の作業性が良好な、据え置き型の電子写真方式による画像形成装置に用いられる転倒防止部材、及び該転倒防止部材を備えた据え置き型の電子写真方式による画像形成装置を提供することである。【解決手段】画像形成装置用の転倒防止部材１０は、据え置き型の電子写真方式による画像形成装置１の転倒を防止するために該画像形成装置１０の底面に取り付けられる部材であり、水平方向に向かって該画像形成装置１の外部に張り出している。転倒防止部材１０は、本体１２及び該本体１２が画像形成装置１から離脱することを防止する留め具１４を備えている。留め具１４には、本体１２の離脱を防止する機能を解除する際の力点となるロック解除部４６が設けられ、ロック解除部４６は、画像形成装置１の側面Ｓ１よりも外側に位置するように設けられている。【選択図】図３
2015034863.tif 000002
【特許請求の範囲】
【請求項１】
据え置き型の電子写真方式による画像形成装置の転倒を防止するために該画像形成装置の底面に取り付けられ、該画像形成装置の外部に水平方向に張り出している転倒防止部材であって、
前記画像形成装置から着脱可能な本体と、
前記本体が前記画像形成装置から離脱することを防止する留め具と、
を備え、
前記留め具には、前記本体の離脱を防止する機能を解除する際の力点となるロック解除部が設けられ、
前記ロック解除部は、前記画像形成装置の側面よりも外側に位置するように設けられていること、
を特徴とする画像形成装置用の転倒防止部材。
【請求項２】
前記ロック解除部は、前記本体の上面側から操作が可能であること、
を特徴とする請求項１に記載の画像形成装置用の転倒防止部材。
【請求項３】
前記留め具は、前記本体の凹部内に設けられ、
前記本体には、前記留め具が前記凹部よりも外部へ突出することを防止する規制部が設けられていること、
を特徴とする請求項１又は請求項２に記載の画像形成装置用の転倒防止部材。
【請求項４】
前記ロック解除部の操作方向は、前記本体の着脱方向と異なり、
前記本体における前記ロック解除部の周囲に、前記着脱方向へ力を加える取り外し面が設けられていること、
を特徴とする請求項１乃至請求項３のいずれかに記載の画像形成装置用の転倒防止部材。
【請求項５】
前記ロック解除部を操作することによって、該ロック解除部によって隠されていた前記取り外し面が露出すること、
を特徴とする請求項１乃至請求項４のいずれかに記載の画像形成装置用の転倒防止部材。
【請求項６】
前記留め具には、前記ロック解除部に対する作用点であって前記画像形成装置と係合するロック部、並びに該ロック解除部及び該ロック部に対する支点である支点部が設けられ、
前記留め具において、前記支点部、前記ロック部及び前記ロック解除部はこの順に並び、
前記ロック部から前記ロック解除部までの部分の剛性が、前記支点部から前記ロック解除部までの剛性よりも高いこと、
を特徴とする請求項１乃至請求項５のいずれかに記載の画像形成装置用の転倒防止部材。
【請求項７】
前記ロック解除部の色と前記本体における前記ロック解除部の周囲の色とは異なること、
を特徴とする請求項１乃至請求項６のいずれかに記載の画像形成装置用の転倒防止部材。
【請求項８】
請求項１乃至請求項５のいずれかに記載の転倒防止部材と、
前記転倒防止部材を前記画像形成装置に係合するための取り付け部材と、
を備え、
前記取り付け部材は、前記画像形成装置の筐体のフレームに取り付けられていること、
を特徴とする画像形成装置。
【請求項９】
請求項１乃至請求項５のいずれかに記載の転倒防止部材を備え、
前記転倒防止部材は、前記画像形成装置におけるユーザーが操作する側に向かって張り出していること、
を特徴とする画像形成装置。
【請求項１０】
請求項１乃至請求項５のいずれかに記載の転倒防止部材を備え、
前記転倒防止部材は、前記画像形成装置の重心位置近傍に取り付けられていること、
を特徴とする画像形成装置。
【発明の詳細な説明】
【技術分野】
【０００１】
本発明は、画像形成装置用の転倒防止部材、及び該転倒防止部材を備えた画像形成装置、特に、据え置き型の電子写真方式による画像形成装置に用いられる転倒防止部材、及び該転倒防止部材を備えた据え置き型の電子写真方式による画像形成装置に関する。
【背景技術】
【０００２】
据え置き型の電子写真方式による画像形成装置は、一般に、複数段の引出し型カセットを有した給紙部、該給紙部の上に位置し画像形成を行う画像形成部、及び、さらに該画像形成部の上に位置し、書類などのスキャニングを行う画像読み取り部を有する。このような構成の画像形成装置は、必然的にその重心位置が高くなり、ユーザーが該画像形成装置に寄りかかる等、なんらかの要因により外力が作用した場合に、転倒する虞がある。
【０００３】
この問題を解決する手段として、例えば特許文献１に記載の転倒防止装置を画像形成装置の下部に組み込むことが考えられる。ただし、この種の転倒防止部材は、転倒を防止したい対象物の略真下に設けられ、その着脱等の作業性が悪いという問題があった。
【先行技術文献】
【特許文献】
【０００４】
【特許文献１】特開２０１１−２４９３３号公報
【発明の概要】
【発明が解決しようとする課題】
【０００５】
本発明の目的は、着脱等の作業性が良好な、据え置き型の電子写真方式による画像形成装置に用いられる転倒防止部材、及び該転倒防止部材を備えた据え置き型の電子写真方式による画像形成装置を提供することである。
【課題を解決するための手段】
【０００６】
本発明の一形態である画像形成装置用の転倒防止部材は、
据え置き型の電子写真方式による画像形成装置の転倒を防止するために該画像形成装置の底面に取り付けられ、該画像形成装置の外部に水平方向に張り出している転倒防止部材であって、
前記画像形成装置から着脱可能な本体と、
前記本体が前記画像形成装置から離脱することを防止する留め具と、
を備え、
前記留め具には、前記本体の離脱を防止する機能を解除する際の力点となるロック解除部が設けられ、
前記ロック解除部は、前記画像形成装置の側面よりも外側に位置するように設けられていること、
を特徴とする。
【０００７】
本発明の一形態である画像形成装置は、
前記画像形成装置用の転倒防止部材と、
前記転倒防止部材を前記画像形成装置に係合するための取り付け部材と、
を備え、
前記取り付け部材は、前記画像形成装置の筐体のフレームに設けられていること、
を特徴とする。
【０００８】
本発明の一形態である画像形成装置用の転倒防止部材は、転倒防止部材の本体の離脱を防止する留め具を備えている。そして、該留め具には、本体の離脱を防止する機能を解除する際の力点となるロック解除部が設けられており、該ロック解除部は、画像形成装置の側面よりも外側に位置するように設けられている。これにより、画像形成装置の外部からロック解除部を容易に操作することができ、転倒防止部材の着脱が容易である。つまり、本発明の一形態である画像形成装置用の転倒防止部材の作業性は良好である。
【発明の効果】
【０００９】
本発明によれば、転倒用防止部材の着脱を容易に行うことができ、作業性が良好である。
【図面の簡単な説明】
【００１０】
【図１】一実施例に係る画像形成装置の外観斜視図である。
【図２】一実施例に係る画像形成装置をその底面から見た平面図である。
【図３】一実施例に係る転倒防止部材の外観斜視図である。
【図４】一実施例に係る転倒防止部材の断面図である。
【図５】一実施例に係る転倒防止部材を取り付け時の断面図である。
【図６】一実施例に係る転倒防止部材及び画像形成装置の底面の断面図である。
【図７】一実施例に係る転倒防止部材を取り外し時の断面図である。
【発明を実施するための形態】
【００１１】
（画像形成装置の概略構成、図１参照）
以下に、一実施例である画像形成装置１及び画像形成装置用の転倒防止部材１０について図面を参照しながら説明する。なお、各図において、同じ部品、部分には共通する符号を付し、重複する説明は省略する。
【００１２】
図１に示すように、画像形成装置１は、電子写真方式による据え置き型のカラープリンタであって、その上部から、原稿画像のスキャニングを行う画像読み取り部２、画像読み取り部２で読み込んだ画像データをもとに電子写真方式によって印刷媒体に画像を形成する画像形成部３、複数の給紙カセットを有し、画像形成部３へ印刷媒体を給紙する給紙部４、及び該画像形成装置１の転倒を防止するための部材（以下で転倒防止部材と称す）１０を備えている。
【００１３】
（転倒防止部材の取り付け位置、図１及び図２参照）
転倒防止部材１０は、図２に示すように、給紙部４の底面、つまり、画像形成装置１の底面に取り付けられている。画像形成装置１の底面は、板金３０であり、画像形成装置１の筐体の骨格を構成するフレームである。なお、板金３０には、転倒防止部材１０の他に、画像形成装置１を移動させるためのキャスターが該板金３０の四隅に取り付けられている。
【００１４】
また、本実施例において、転倒防止部材１０は、画像形成装置１の底面に２つ取り付けられている。一つは、ハガキなどの変形サイズなど通常は使用しない用紙を給紙するために用いる、いわゆる手差しトレイや両面印刷時に使用する反転ユニットなどがある画像形成装置１の側面Ｓ１側に取り付けられ、もう一つは、モーター等の重量物が配置された画像形成装置１の背面Ｓ２側、つまり画像形成装置１の重心位置の近傍に取り付けられている。
【００１５】
（転倒防止部材の構成及び機能、図１、図３及び図４参照）
転倒防止部材１０は、本体１２及び該本体１２が画像形成装置１から離脱することを防止する留め具１４から構成されている。
【００１６】
本体１２は、その材料を黒色の樹脂とし、図３に示すように、略直方体状を成す、係合部２２及び転倒防止部２４から構成されている。従って、本体１２の形状は、直方体状を成すこれらの２つの部分を組み合わせた形状を成している。ここで、図３において、本体１２の長辺方向をｘ軸方向、幅方向をｙ軸方向、厚み方向をｚ軸方向と定義する。なお、本体１２における各角は、丸くなるように面取りが施されている。
【００１７】
係合部２２は、本体１２において、ｘ軸方向の負方向側に位置し、本体１２を画像形成装置１の底面に取り付ける際に、画像形成装置１の底面である板金３０と、該板金３０の下面に取り付けられた保持板３２との間に形成された空洞に挿入される。係合部２２が挿入されると、該係合部２２のｚ軸方向の正方向側の上面Ｓ３が板金３０と対向し、ｚ軸方向の負方向側の面及びｙ軸方向の両面が保持板３２に囲まれる。このとき、板金３０と保持板３２との間に形成された空洞の幅及び空洞の厚みは、係合部２２の幅ｗ１及び係合部２２の厚みｔ１と略等しい。また、係合部２２の上面Ｓ３には、転倒防止部１０を画像形成装置１に取り付ける際の取り付け方向であるｘ軸方向と平行な矢印Ａが刻印されている。
【００１８】
転倒防止部２４は、本体１２において、ｘ軸方向の正方向側に位置している。また、転倒防止部２４のｘ軸方向の正方向側の端部Ｅ及びその周囲が、図１の拡大図に示すように、画像形成装置１の下部から外部に向かって水平方向に張り出している。
【００１９】
従って、端部Ｅが、画像形成装置１が傾いた際に、画像形成装置１の側面Ｓ１及び背面Ｓ２よりも先に床面と接触する。これにより、画像形成装置１が、大きく傾くことが抑制され、結果として、画像形成装置１の転倒が防止される。
【００２０】
転倒防止部２４の上面におけるｙ軸方向の中央付近には、図３に示すように、ｘ軸方向に延在する凹部Ｇが設けられている。凹部Ｇのｘ軸方向の正方向側の端部は、画像形成装置１の外部に向かって張り出している部分まで達している。また、凹部Ｇのｙ軸方向の両外縁には、突起（規制部）Ｐ１，Ｐ２が設けられている。さらに、図４に示すように、凹部Ｇの底面におけるｘ軸方向の負方向側の部分には、ｚ軸方向の正方向側に突出する固定部Ｐ３が設けられている。
【００２１】
ところで、転倒防止部２４の幅ｗ２は、図３に示すように、係合部２２の幅ｗ１よりも広く、転倒防止部２４の厚さｔ２は、図４に示すように、係合部２２の厚さｔ１よりも厚くなっている。従って、転倒防止部材１０を画像形成装置１に取り付ける際に、転倒防止部２４は、板金３０と保持板３２との間に形成された空洞を通り抜けることができない。つまり、転倒防止部材１０を上述の空洞に押し込むと、本体１２の係合部２２が該空洞内に収まり、転倒防止部２４との継ぎ目が保持板３２と接触する。これにより、転倒防止部材１０は、画像形成装置１に対して位置決めされる。なお、係合部２２と転倒防止部２４との間には緩やかに傾斜した面が設けられ、係合部２２と転倒防止部２４とは、曲線的に接続されている。
【００２２】
留め具１４は、ＳＵＳ等の長方形状の板金から成り、図３に示すように、本体１２の凹部Ｇ内に位置している。より具体的には、留め具１４は、凹部Ｇに沿うようにｘ軸方向に延在している。また、図４に示すように、留め具１４のｘ軸方向の負方向側の端部である支点部４２は、凹部Ｇの固定部Ｐ３のｚ軸方向の正方向側の面にリベットや圧入等の手段により固定されている。そして、支点部４２が、固定部Ｐ３の頂点部分に固定されていることから、留め具１４における他の部分は、凹部Ｇの底面から一定の距離を保って、支点部４２により支えられている。
【００２３】
さらに、留め具１４におけるｘ軸方向の略中央は、ｙ軸方向から見たときに、ｚ軸方向の正方向側に向かって凸となるように折り曲げられている。この折り曲げられている部分をロック部４４と称す。ロック部４４は、ｘ軸方向の負方向側から正方向側に向かうに従って、ｚ軸方向の成分が増加する傾斜面Ｓ４、及びｘ軸方向の正方向側の末端であって、ｚ軸方向と平行な面Ｓ５により構成されている。
【００２４】
また、支点部４２からロック部４４までの部分の厚さｔ３は、留め具１４の他の部分の厚さｔ４よりも薄い。
【００２５】
以上のように構成された留め具１４は、転倒防止部材１０が画像形成装置１に取り付けられる際、図５に示すように、画像形成装置１の底面である板金３０の折り曲げられた端部の側壁Ｗによって、ロック部４４の傾斜面Ｓ４がｚ軸方向の負方向側に押し込まれながら、画像形成装置１の下部に入り込む。
【００２６】
そして、図６に示すように、転倒防止部材１０に対して、画像形成装置１の外部へ向かう方向（ｘ軸方向の正方向側）に力Ｆ１が加わると、留め具１４におけるロック部４４の面Ｓ５と、画像形成装置１の底面である板金３０の側壁Ｗとが衝突する。これにより、転倒防止部材１０が、画像形成装置１から離脱することが防止される。
【００２７】
一方、ユーザーが転倒防止部材１０を取り外す際には、図７に示すように、留め具１４のｘ軸方向の正方向側の端部であるロック解除部４６を凹部Ｇの底面（ｚ軸方向の負方向側）に向かって力Ｆ３を加える。これにより、支点部４２を支点として、ロック部４４がｚ軸方向の負方向側に向かって押し下げられ、結果として、面Ｓ５が側壁Ｗよりも、ｚ軸方向の負方向側にずれる。このとき、ロック解除部４６によって、隠されていた凹部Ｇのｘ軸方向の正方向側の面Ｓ６（取り外し面）が露出する。そして、ユーザーが面Ｓ６に対して、ｘ軸方向の正方向側に向かう力Ｆ２を加えることにより、転倒防止部材１０を画像形成装置１から外すことが出来る。
【００２８】
（効果）
一実施例である転倒防止部材１０では、転倒防止部材１０の本体１２の離脱を防止する留め具１４のロック解除部４６が、画像形成装置１の側面よりも外側に位置するように設けられている。これにより、画像形成装置１の外部からロック解除部を容易に操作することができ、転倒防止部材１０の着脱が容易である。つまり、本発明の一形態である画像形成装置用の転倒防止部材１０の作業性は良好である。
【００２９】
また、留め具１４は、転倒防止部材１０の本体１２の上面に設けられた凹部Ｇ内に位置している。従って、ロック解除部４６は、本体１２の上面から操作可能である。これにより、転倒防止部材１０の着脱がさらに容易になり、転倒防止部材１０の作業性をさらに良好にしている。
【００３０】
さらに、凹部Ｇのｙ軸方向の両外縁には、突起（規制部）Ｐ１，Ｐ２が設けられている。これにより、凹部Ｇ内に位置する留め具１４が、凹部Ｇの外部に飛び出すことが防止される。従って、ユーザーが転倒防止部材１０を誤って踏みつけるなどしても、凹部Ｇ内の留め具１４に接触することがないため、転倒防止部材１０のロックが誤って解除されることがなく、手差しトレイなどのユーザーが操作する側に転倒防止部材１０を取り付けることが出来る。
【００３１】
ところで、ユーザーが転倒防止部材１０を取り外す際には、ロック解除部４６を凹部Ｇの底面（ｚ軸方向の負方向側）に向かって力Ｆ３を加える。そして、ロック解除部４６によって、隠されていた凹部Ｇのｘ軸方向の正方向側の面Ｓ６に対して、力Ｆ２を加えることにより、転倒防止部材１０を画像形成装置１から外すことができる。従って、ユーザーは、ロック解除動作から転倒防止部材１０の取り外しまでを一連の動作により行うことができ、転倒防止部材の作業性は良好である。また、ロック解除部４６を操作する際の面及び着脱方向、並びに転倒防止部材１０を着脱する際の面及び着脱方向は異なる。これにより、転倒防止部材１０の着脱時に加えられる力が、ロック解除部４６に加えられることが防止され、該力によってロック解除部４６が破損することが防止される。さらに、ロック解除部４６を操作することにより、面Ｓ６が現れ、該面Ｓ６に転倒防止部材１０を着脱するための力を加えることができる。従って、ロック解除部４６を操作することにより現れた面Ｓ６によって、転倒防止部材１０の着脱をより容易に行うことができる。これに加え、転倒防止部材１０の底面と床面ＦＳとの間には隙間がある。これにより、転倒防止部材１０に対して力Ｆ３を加えても、転倒防止部材１０が床面に引っかかることがないため、転倒防止部材１０の着脱が容易である。
【００３２】
また、支点部４２からロック部４４までの部分の厚さｔ３は、留め具１４の他の部分の厚さｔ４よりも薄い。つまり、支点部４２からロック部４４までの部分の剛性は、留め具１４の他の部分の剛性より低い。これにより、ロック解除部４６を操作した際に、支点部４２からロック部４４までの部分が積極的に変形するため、前記他の部分の変形が抑えられる。従って、ロック解除部４６を操作した際に、ロック解除部４６の周辺のみが変形して、ロック部４４がｚ軸方向の負方向側に移動せず、転倒防止部材１０の着脱ができないという事態が抑制される。
【００３３】
さらに、転倒防止部材１０の本体１２の色は黒色であり、留め具１４の色はその材料がＳＵＳ等の金属であるため銀色である。つまり、留め具１４におけるロック解除部４６の色と本体１２におけるロック解除部４６の周囲の色とは異なり視認性が良好である。従って、転倒防止部材１０を使用するユーザーは、ロック解除部４６とその周囲を容易に区別することができる。
【００３４】
転倒防止部材１０は、画像形成装置１の底面の板金３０に取り付けられる。従って、転倒防止部材１０が機能した際に、その床面ＦＳからの力を板金３０が受け止めることになる。このとき、板金３０は画像形成装置１の筐体の骨格を構成するフレームであるから、容易に変形することはない。従って、床面からの力によって、画像形成装置１が変形することが抑制されると同時に、転倒防止部材１０が画像形成装置１の転倒を防止するという機能を果たすことができる。また、突起（規制部）Ｐ１，Ｐ２により、凹部Ｇ内に位置する留め具１４が、凹部Ｇの外部に飛び出すことが防止されるため、転倒防止部材１０が、板金３０から力を受けてもロックが誤解除されることがない。
【００３５】
さらに、転倒防止部材１０では、いわゆる手差しトレイや両面印刷時に使用する反転ユニットなどがある画像形成装置１の側面Ｓ１側、及びモーター等の重量物が配置された画像形成装置１の背面Ｓ２側、つまり画像形成装置１の重心位置の近傍にも取り付けられている。従って、転倒防止部材１０は、画像形成装置１が転倒しやすい方向に張り出す。これにより、転倒防止部材１０による機能をより高めることが出来る。
【００３６】
（他の実施例）
本発明に係る転倒防止部材及び画像形成装置は前記実施形態に限定するものではなく、その要旨の範囲内で種々に変更することができる。例えば、転倒防止部材の取り付け位置、大きさ及び形状等は、適宜変更してもよい。また、本体１２と留め具１４とを同じ部材により構成してもよい。
【産業上の利用可能性】
【００３７】
以上のように、本発明は、据え置き型の電子写真方式による画像形成装置に用いられる転倒防止部材、及び該転倒防止部材を備えた画像形成装置に有用であり、特に、転倒防止部材の着脱を容易に行うことができ、作業性が良好である点で優れている。
【符号の説明】
【００３８】
Ｓ１  側面
Ｓ２  背面（側面）
Ｓ３  上面
Ｓ６  面（取り外し面）
Ｐ１，Ｐ２  突起（規制部）
１  画像形成装置
１０  転倒防止部材
１２  本体
１４  留め具
３０  板金
４２  支持部
４４  ロック部
４６  ロック解除部
【図１】
2015034863.tif 000003
【図２】
2015034863.tif 000004
【図３】
2015034863.tif 000005
【図４】
2015034863.tif 000006
【図５】
2015034863.tif 000007
【図６】
2015034863.tif 000008
【図７】
2015034863.tif 000009